(57)【特許請求の範囲】
【請求項１】
その表面に多数のディンプルを備えており、下記数式（Ｉ）を満たすゴルフボール。
１．３２０ ≦ Ｌ１ ≦ １．４２０      （Ｉ）
（この数式において、Ｌ１は、レイノルズ数が１．２９０×１０５でありスピンレートが２８２０ｒｐｍである条件で測定された揚力係数ＣＬ１の、レイノルズ数が１．２９０×１０５でありスピンレートが１７４０ｒｐｍである条件で測定された揚力係数ＣＬ２に対する比を表す。）
【請求項２】
下記数式（II）を満たす請求項１に記載のゴルフボール。
１．２４０ ≦ Ｌ２ ≦ １．３４０      （II）
（この数式において、Ｌ２は、レイノルズ数が１．７７１×１０５でありスピンレートが２９４０ｒｐｍである条件で測定された揚力係数ＣＬ３の、レイノルズ数が１．７７１×１０５でありスピンレートが１８００ｒｐｍである条件で測定された揚力係数ＣＬ４に対する比を表す。）
【請求項３】
上記Ｌ２に対する上記Ｌ１の比（Ｌ１／Ｌ２）が１．０００以上である請求項２に記載のゴルフボール。
【請求項４】
上記比（Ｌ１／Ｌ２）が１．０６０以上である請求項３に記載のゴルフボール。
【請求項５】
上記ディンプルの総容積が５２０ｍｍ３以上７２０ｍｍ３以下である請求項１から４のいずれかに記載のゴルフボール。
【発明の詳細な説明】
【技術分野】
【０００１】
本発明は、ゴルフボールに関する。詳細には、本発明は、ゴルフボールの空力特性の改良に関する。
【背景技術】
【０００２】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。優れたディンプルは、よりよく空気の流れを乱す。優れたディンプルは、大きな飛距離を生む。
【０００３】
特開平５−１０３８４６号公報には、適正化された直径、深さ及び個数を有するディンプルを備えたゴルフボールが開示されている。
【０００４】
特開平１０−４３３４２号公報には、直径と深さとの比が適正化されたディンプルを有するゴルフボールが開示されている。
【０００５】
特開平１０−４３３４３号公報には、ボールの体積に対するディンプルの体積の比率が適正化されたゴルフボールが開示されている。
【０００６】
特開２０００−１０７３３８公報には、その直径と質量とが適正化されたゴルフボールが開示されている。
【先行技術文献】
【特許文献】
【０００７】
【特許文献１】特開平５−１０３８４６号公報
【特許文献２】特開平１０−４３３４２号公報
【特許文献３】特開平１０−４３３４３号公報
【特許文献４】特開２０００−１０７３３８公報
【発明の概要】
【発明が解決しようとする課題】
【０００８】
クラブヘッドのフェースのセンターの近傍でゴルフボールが打撃されたとき、クラブヘッドの運動エネルギーがゴルフボールに充分に伝わる。この打撃では、ゴルフボールのスピンレートも概ね適正である。
【０００９】
フェースの打点は、ショットごとにばらつく。特に、アマチュアプレーヤーのショットでは、打点は大幅にばらつく。打点のばらつきは、スピンレートのばらつきを招来する。
【００１０】
従来のゴルフボールでは、適正なスピンレートの条件下で大きな飛距離が得られるように、ディンプルの仕様が決定されている。このゴルフボールでは、スピンレートが適正でないときは、大きな飛距離は得られない。このゴルフボールでは、打点のばらつきがスピンレートのばらつきを生み、スピンレートのばらつきが飛距離のばらつきを生む。飛距離のばらつきが大きなゴルフボールを用いたプレーヤーは、このゴルフボールを目標地点に静止させにくい。
【００１１】
プレーヤーは、スピンレートに対する飛距離の依存性が少ないゴルフボールを望んでいる。換言すれば、プレーヤーは、飛距離安定性に優れたゴルフボールを望んでいる。本発明の目的は、飛距離安定性に優れたゴルフボールの提供にある。
【課題を解決するための手段】
【００１２】
本発明に係るゴルフボールは、その表面に多数のディンプルを備える。このゴルフボールは、下記数式（Ｉ）を満たす。
１．３２０ ≦ Ｌ１ ≦ １．４２０      （Ｉ）
この数式において、Ｌ１は、レイノルズ数が１．２９０×１０５でありスピンレートが２８２０ｒｐｍである条件で測定された揚力係数ＣＬ１の、レイノルズ数が１．２９０×１０５でありスピンレートが１７４０ｒｐｍである条件で測定された揚力係数ＣＬ２に対する比を表す。
【００１３】
好ましくは、このゴルフボールは、下記数式（II）を満たす。
１．２４０ ≦ Ｌ２ ≦ １．３４０      （II）
この数式において、Ｌ２は、レイノルズ数が１．７７１×１０５でありスピンレートが２９４０ｒｐｍである条件で測定された揚力係数ＣＬ３の、レイノルズ数が１．７７１×１０５でありスピンレートが１８００ｒｐｍである条件で測定された揚力係数ＣＬ４に対する比を表す。
【００１４】
好ましくは、Ｌ２に対するＬ１の比（Ｌ１／Ｌ２）は、１．０００以上である。好ましくは、比（Ｌ１／Ｌ２）は、１．０６０以上である。
【００１５】
好ましくは、ディンプルの総容積は、５２０ｍｍ３以上７２０ｍｍ３以下である。
【発明の効果】
【００１６】
本発明に係るゴルフボールでは、スピン速度が大きなときの飛距離と、スピン速度が小さなときの飛距離との差が少ない。換言すれば、このゴルフボールは、飛距離安定性に優れる。プレーヤーは、このゴルフボールを目標地点に落下させやすい。
【図面の簡単な説明】
【００１７】
【図１】図１は、本発明の一実施形態に係るゴルフボールが示された断面図である。
【図２】図２は、図１のゴルフボールが示された拡大正面図である。
【図３】図３は、図２のゴルフボールが示された平面図である。
【図４】図４は、図１のゴルフボールの一部が示された拡大断面図である。
【図５】図５は、本発明の実施例４に係るゴルフボールが示された正面図である。
【図６】図６は、図５のゴルフボールが示された平面図である。
【図７】図７は、本発明の実施例８に係るゴルフボールが示された正面図である。
【図８】図８は、図７のゴルフボールが示された平面図である。
【発明を実施するための形態】
【００１８】
以下、適宜図面が参照されつつ、好ましい実施形態に基づいて本発明が詳細に説明される。
【００１９】
図１に示されたゴルフボール２は、球状のコア４と、このコア４の外側に位置する中間層６と、この中間層６の外側に位置するカバー８とを備えている。このゴルフボール２は、その表面に多数のディンプル１０を有している。ゴルフボール２の表面のうちディンプル１０以外の部分は、ランド１２である。このゴルフボール２は、カバー８の外側にペイント層及びマーク層を備えているが、これらの層の図示は省略されている。
【００２０】
このゴルフボール２の直径は、４０ｍｍから４５ｍｍが好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２１】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２２】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２３】
コア４のゴム組成物が、充填剤、硫黄、加硫促進剤、硫黄化合物、老化防止剤、着色剤、可塑剤、分散剤、カルボン酸、カルボン酸塩等の添加剤を含んでもよい。ゴム組成物が、合成樹脂粉末又は架橋されたゴム粉末を含んでもよい。
【００２４】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２５】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００２６】
アイオノマー樹脂に代えて、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２７】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２８】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００２９】
カバー８は、樹脂組成物からなる。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００３０】
ポリウレタン成分のイソシアネートとして、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー８の黄変が抑制される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００３１】
ポリウレタンに代えて、カバー８の樹脂組成物が他のポリマーを含んでもよい。他のポリマーとして、アイオノマー樹脂、ポリスチレン、ポリアミド、ポリエステル及びポリオレフィンが例示される。樹脂組成物が、２種以上のポリマーを含んでもよい。
【００３２】
カバー８の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００３３】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００３４】
ゴルフボール２が、中間層６とカバー８との間に、補強層を備えてもよい。補強層は、中間層６と堅固に密着し、カバー８とも堅固に密着する。補強層は、中間層６からのカバー８の剥離を抑制する。補強層の基材ポリマーとして、二液硬化型エポキシ樹脂及び二液硬化型ウレタン樹脂が例示される。
【００３５】
図２及び３に示されるように、ディンプル１０の輪郭は円である。このゴルフボール２は、直径が４．６ｍｍであるディンプルＡと、直径が４．４ｍｍであるディンプルＢと、直径が４．２ｍｍであるディンプルＣと、直径が４．０ｍｍであるディンプルＤと、直径が３．９ｍｍであるディンプルＥと、直径が２．６ｍｍであるディンプルＦとを備えている。ディンプル１０の種類数は、６である。ゴルフボール２が円形ディンプル１０に代えて、又は円形ディンプル１０と共に、非円形ディンプルを有してもよい。
【００３６】
ディンプルＡの数は４２個であり、ディンプルＢの数は７２個であり、ディンプルＣの数は６６個であり、ディンプルＤの数は１２６個であり、ディンプルＥの数は１２個であり、ディンプルＦの数は１２個である。ディンプル１０の総数は、３３０個である。
【００３７】
図４には、ディンプル１０の中心及びゴルフボール２の中心を通過する平面に沿った断面が示されている。図４における上下方向は、ディンプル１０の深さ方向である。図４において二点鎖線で示されているのは、仮想球１４である。仮想球１４の表面は、ディンプル１０が存在しないと仮定されたときのゴルフボール２の表面である。ディンプル１０は、仮想球１４の表面から凹陥している。ランド１２は、仮想球１４の表面と一致している。本実施形態では、ディンプル１０の断面形状は、実質的には円弧である。
【００３８】
図４において両矢印Ｄｍで示されているのは、ディンプル１０の直径である。この直径Ｄｍは、ディンプル１０の両側に共通の接線Ｔｇが画かれたときの、一方の接点Ｅｄと他方の接点Ｅｄとの距離である。接点Ｅｄは、ディンプル１０のエッジでもある。エッジＥｄは、ディンプル１０の輪郭を画定する。図４において両矢印Ｄｐで示されているのは、ディンプル１０の深さである。この深さＤｐは、ディンプル１０の最深部と仮想球１４との距離である。
【００３９】
それぞれのディンプル１０の直径Ｄｍは、２．０ｍｍ以上６．０ｍｍ以下が好ましい。直径Ｄｍが２．０ｍｍ以上であるディンプル１０は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１０は、実質的に球であるというゴルフボール２の本質を損ねない。この観点から、直径Ｄｍは５．５ｍｍ以下がより好ましく、５．０ｍｍ以下が特に好ましい。
【００４０】
ゴルフボール２のホップが抑制されるとの観点から、ディンプル１０の深さＤｐは０．１０ｍｍ以上が好ましく、０．１３ｍｍ以上がより好ましく、０．１５ｍｍ以上が特に好ましい。ゴルフボール２のドロップが抑制されるとの観点から、深さＤｐは０．６０ｍｍ以下が好ましく、０．５５ｍｍ以下が特に好ましい。
【００４１】
ディンプル１０の球面面積ｓは、ゴルフボール２の仮想球１４の表面のうち、ディンプル１０の輪郭線に囲まれたゾーンの面積である。図２及び３に示されたゴルフボール２では、ディンプルＡの球面面積ｓは１６．６１ｍｍ２であり、ディンプルＢの球面面積ｓは１５．２０ｍｍ２であり、ディンプルＣの球面面積ｓは１３．８５ｍｍ２であり、ディンプルＤの球面面積ｓは１２．５６ｍｍ２であり、ディンプルＥの球面面積ｓは１１．９４ｍｍ２であり、ディンプルＦの球面面積ｓは５．３１ｍｍ２である。
【００４２】
全てのディンプル１０の球面面積ｓの合計の、仮想球１４の表面積に対する比は、占有率と称される。乱流化の観点から、占有率は０．７８０以上が好ましく、０．８００以上がより好ましく、０．８４０以上が特に好ましい。占有率は、０．９５０以下が好ましい。図２及び３に示されたゴルフボール２では、球面面積ｓの合計は４４９５．３ｍｍ２である。このゴルフボール２の仮想球１４の表面積は５７２８．０ｍｍ２なので、占有率は０．７８５である。
【００４３】
十分な占有率が達成されるとの観点から、ディンプル１０の総数は２５０個以上が好ましく、２８０個以上がより好ましく、３００個以上が特に好ましい。個々のディンプル１０が乱流化に寄与しうるとの観点から、総数Ｎは４５０個以下が好ましく、４００個以下がより好ましく、３８０個以下が特に好ましい。
【００４４】
本発明において「ディンプルの容積」とは、仮想球１４とディンプル１０の表面とに囲まれた部分の容積を意味する。ゴルフボール２のホップが抑制されるとの観点から、ディンプル１０の総容積は４８０ｍｍ３以上が好ましく、５００ｍｍ３以上がより好ましく、５２０ｍｍ３以上が特に好ましい。ゴルフボール２のドロップが抑制されるとの観点から、総容積は７５０ｍｍ３以下が好ましく、７３０ｍｍ３以下がより好ましく、７２０ｍｍ３以下が特に好ましい。
【００４５】
このゴルフボール２は、下記の数式（Ｉ）を満たす。
１．３２０ ≦ Ｌ１ ≦ １．４２０      （Ｉ）
この数式においてＬ１は、揚力係数ＣＬ１と揚力係数ＣＬ２との比（ＣＬ１／ＣＬ２）である。揚力係数ＣＬ１と揚力係数ＣＬ２とは、ＵＳＧＡが定めるＩＴＲ（Indoor Test Range）に準拠して測定される。揚力係数ＣＬ１は、レイノルズ数が１．２９０×１０５であり、スピンレートが２８２０ｒｐｍである条件で、測定される。揚力係数ＣＬ２は、レイノルズ数が１．２９０×１０５であり、スピンレートが１７４０ｒｐｍである条件で、測定される。
【００４６】
レイノルズ数は、流体力学の分野にて用いられる無次元数である。レイノルズ数（Ｒｅ）は、下記数式によって算出されうる。
Ｒｅ ＝ ρｖＬ／μ
この数式において、ρは流体の密度を表し、ｖは物体の速度を表し、Ｌは特性長さを表し、μは流体の粘性係数を表す。
【００４７】
前述の通り、揚力係数ＣＬ１及びＣＬ２の測定時のレイノルズ数は、１．２９０×１０５である。空気中を飛行するゴルフボール２に関しては、このレイノルズ数は、比較的低速度での飛行に該当する。前述の通り、揚力係数ＣＬ１の測定時のスピンレートは、２８２０ｒｐｍである。このスピンレートは、比較的高い。前述の通り、揚力係数ＣＬ２の測定時のスピンレートは、１７４０ｒｐｍである。このスピンレートは、比較的低い。揚力係数ＣＬ１及びＣＬ２は、それぞれ、下記の条件での揚力係数に該当する。
ＣＬ１：ヘッドスピードが遅いプレーヤーが打撃したゴルフボール２が、高スピンレートで飛行する条件（条件１）
ＣＬ２：ヘッドスピードが遅いプレーヤーが打撃したゴルフボール２が、低スピンレートで飛行する条件（条件２）
【００４８】
本発明者が得た知見によれば、上記数式（Ｉ）を満たすゴルフボール２は、低速で打ち出されたときの飛距離安定性に優れる。換言すれば、Ｌ１が１．３２０以上１．４２０以下であるゴルフボール２は、低速で打ち出されたときの飛距離安定性に優れる。
【００４９】
Ｌ１が１．３２０以上であるゴルフボール２では、条件１での揚力が過小ではなく、条件２での揚力が過大でもない。この観点から、Ｌ１は１．３３０以上がより好ましく、１．３４０以上が特に好ましい。Ｌ１が１．４２０以下であるゴルフボール２では、条件１での揚力が過大ではなく、条件２での揚力が過小でもない。この観点から、Ｌ１は１．４００以下がより好ましく、１．３９０以下が特に好ましい。
【００５０】
ディンプル１０の仕様の適正化により、上記範囲内のＬ１が達成されうる。具体的には、
（１）ディンプル１０の深さの適正化
（２）ディンプル１０の面積の適正化
（３）ディンプル１０の容積の適正化
（４）ディンプル１０の個数の適正化
（５）ディンプル１０の占有率の適正化
等の手段により、上記範囲内のＬ１が達成されうる。
【００５１】
好ましくは、このゴルフボール２は、下記の数式（II）を満たす。
１．２４０ ≦ Ｌ２ ≦ １．３４０      （II）
この数式において、Ｌ２は、揚力係数ＣＬ３と揚力係数ＣＬ４との比（ＣＬ３／ＣＬ４）である。揚力係数ＣＬ３と揚力係数ＣＬ４とは、ＵＳＧＡが定めるＩＴＲ（Indoor Test Range）に準拠して測定される。揚力係数ＣＬ３は、レイノルズ数が１．７７１×１０５であり、スピンレートが２９４０ｒｐｍである条件で、測定される。揚力係数ＣＬ４は、レイノルズ数が１．７７１×１０５であり、スピンレートが１８００ｒｐｍである条件で、測定される。
【００５２】
揚力係数ＣＬ３及びＣＬ４の測定時のレイノルズ数は、１．７７１×１０５である。空気中を飛行するゴルフボール２に関しては、このレイノルズ数は、比較的高速度での飛行に該当する。前述の通り、揚力係数ＣＬ３の測定時のスピンレートは、２９４０ｒｐｍである。このスピンレートは、比較的高い。前述の通り、揚力係数ＣＬ４の測定時のスピンレートは、１８００ｒｐｍである。このスピンレートは、比較的低い。揚力係数ＣＬ３及びＣＬ４は、それぞれ、下記の条件での揚力係数に該当する。
ＣＬ３：ヘッドスピードが速いプレーヤーが打撃したゴルフボール２が、高スピンレートで飛行する条件（条件３）
ＣＬ４：ヘッドスピードが速いプレーヤーが打撃したゴルフボール２が、低スピンレートで飛行する条件（条件４）
【００５３】
本発明者が得た知見によれば、上記数式（II）を満たすゴルフボール２は、高速で打ち出されたときの飛距離安定性に優れる。換言すれば、Ｌ２が１．２４０以上１．３４０以下であるゴルフボール２は、高速で打ち出されたときの飛距離安定性に優れる。
【００５４】
Ｌ２が１．２４０以上であるゴルフボール２では、条件３での揚力が過小ではなく、条件４での揚力が過大でもない。この観点から、Ｌ２は１．２６０以上がより好ましく、１．２９０以上が特に好ましい。Ｌ２が１．３４０以下であるゴルフボール２では、条件３での揚力が過大ではなく、条件４での揚力が過小でもない。この観点から、Ｌ２は１．３３０以下がより好ましく、１．３２０以下が特に好ましい。
【００５５】
ディンプル１０の仕様の適正化により、上記範囲内のＬ２が達成されうる。具体的には、
（１）ディンプル１０の深さの適正化
（２）ディンプル１０の面積の適正化
（３）ディンプル１０の容積の適正化
（４）ディンプル１０の個数の適正化
（５）ディンプル１０の占有率の適正化
等の手段により、上記範囲内のＬ２が達成されうる。
【００５６】
Ｌ２に対するＬ１の比（Ｌ１／Ｌ２）は、１．０００以上が好ましい。比（Ｌ１／Ｌ２）が１．０００以上であるゴルフボール２は、低速条件下及び高速条件下において、スピンレートがばらついても飛距離がばらつきにくい。この観点から、比（Ｌ１／Ｌ２）は１．０６０以上が特に好ましい。
【実施例】
【００５７】
以下、実施例によって本発明の効果が明らかにされるが、この実施例の記載に基づいて本発明が限定的に解釈されるべきではない。
【００５８】
［実施例１］
１００質量部のハイシスポリブタジエン（ＪＳＲ社の商品名「ＢＲ−７３０」）、２２．５質量部のアクリル酸亜鉛、５質量部の酸化亜鉛、５質量部の硫酸バリウム、０．５質量部のジフェニルジスルフィド及び０．６質量部のジクミルパーオキサイドを混練し、ゴム組成物を得た。このゴム組成物を共に半球状キャビティを備えた上型及び下型からなる金型に投入し、１７０℃で１８分間加熱して、直径が３８．５ｍであるコアを得た。
【００５９】
５０質量部のアイオノマー樹脂（三井デュポンポリケミカル社の商品名「ハイミラン１６０５」）、５０質量部の他のアイオノマー樹脂（三井デュポンポリケミカル社の商品名「ハイミランＡＭ７３２９」）及び４質量部の二酸化チタンを二軸混練押出機で混練し、樹脂組成物を得た。この樹脂組成物を射出成形法にてコアの周りに被覆し、中間層を形成した。この中間層の厚みは、１．６ｍｍであった。
【００６０】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の二酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、１０μｍであった。
【００６１】
１００質量部の熱可塑性ポリウレタンエラストマー（ＢＡＳＦジャパン社の商品名「エラストランＸＮＹ８５Ａ」）及び４質量部の二酸化チタンを二軸押出機で混練し、樹脂組成物を得た。この樹脂組成物から、圧縮成形法にて、ハーフシェルを得た。このハーフシェル２枚で、コア、中間層及び補強層からなる球体を被覆した。このハーフシェル及び球体を、共に半球状キャビティを備え、キャビティ面に多数のピンプルを備えた上型及び下型からなるファイナル金型に投入し、圧縮成形法にてカバーを得た。カバーの厚みは、０．５ｍｍであった。カバーには、ピンプルの形状が反転した形状を有するディンプルが形成された。このカバーの周りに二液硬化型ポリウレタンを基材とするクリアー塗料を塗装し、直径が約４２．７ｍｍであり質量が約４５．６ｇである実施例１のゴルフボールを得た。ＹＡＭＡＤＡ式コンプレッションテスターにて測定された、荷重が９８Ｎ−１２７４Ｎである場合の圧縮変形量は、４．１０ｍｍであった。このゴルフボールのディンプルの仕様が、下記の表１に示されている。
【００６２】
［実施例２−３及び比較例１−４］
ディンプルの仕様を下記の表１−２に示される通りとした他は実施例１と同様にして、実施例２−３及び比較例１−４のゴルフボールを得た。
【００６３】
［実施例４−７］
正面図が図５に示され、平面図が図６に示されるディンプルパターンを採用した他は実施例１と同様にして、実施例４−７のゴルフボールを得た。
【００６４】
［実施例８］
正面図が図７に示され、平面図が図８に示されるディンプルパターンを採用した他は実施例１と同様にして、実施例８のゴルフボールを得た。
【００６５】
［実験１］
ゴルフラボラトリー社のスイングマシンに、チタン合金製のヘッドを備えたドライバー（ダンロップスポーツ社の商品名「ＸＸＩＯ」、シャフト硬度：Ｒ、ロフト角：１１°）を装着した。ヘッド速度が４０ｍ／ｓｅｃであり、バックスピン速度が約２８２０ｒｐｍである条件でゴルフボールを打撃して、発射地点から静止地点までの距離を測定した。テスト時は、ほぼ無風であった。２０回の測定で得られたデータの平均値が、下記の表３−５に示されている。
【００６６】
［実験２］
バックスピン速度が約１７４０ｒｐｍである条件でゴルフボールを打撃した他は実験１と同様にして、飛距離の平均値を得た。この結果が、下記の表３−５に示されている。
【００６７】
［飛距離の差の算出］
実験１で得られた飛距離の平均値と実験２で得られた飛距離の平均値との差を算出した。この差の絶対値が、下記の表３−５に示されている。
【００６８】
【表１】
0006304630.tif 000002
【００６９】
【表２】
0006304630.tif 000003
【００７０】
【表３】
0006304630.tif 000004
【００７１】
【表４】
0006304630.tif 000005
【００７２】
【表５】
0006304630.tif 000006
【００７３】
表３−５に示されるように、各実施例のゴルフボールは、飛距離の差が少ない。この評価結果から、本発明の優位性は明らかである。
【産業上の利用可能性】
【００７４】
前述のディンプルは、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【００７５】
２・・・ゴルフボール
４・・・コア
６・・・中間層
８・・・カバー
１０・・・ディンプル
１２・・・ランド
１４・・・仮想球
【図１】
0006304630.tif 000007
【図２】
0006304630.tif 000008
【図３】
0006304630.tif 000009
【図４】
0006304630.tif 000010
【図５】
0006304630.tif 000011
【図６】
0006304630.tif 000012
【図７】
0006304630.tif 000013
【図８】
0006304630.tif 000014